【事件の表示】
　特願２００６−　１５７８２「シート貼付用テーブル」拒絶査定不服審判事件〔平成１９年　２月１５日出願公開、特開２００７−　４３０５７〕について、次のとおり審決する。
【結　論】
　本件審判の請求は、成り立たない。
【理　由】
１．手続の経緯　
　本願は、平成１８年１月２５日（先の出願に基づく優先権主張同１７年７月７日）の出願であって、同２１年１０月２７日付の拒絶理由通知に対して同２１年１２月２５日に意見書と手続補正書が提出され、同２２年１月１３日付で拒絶査定されたものである。当該拒絶査定の取消を求める本件審判は同２２年４月１５日に請求され、同日付で明細書と特許請求の範囲を補正対象とする手続補正（以下、「本件補正」という。）がされ、当審の同２２年９月２７日付審尋に対して同２２年１１月２２日に回答書が提出された。　
　
２．本件補正についての補正却下の決定　
【補正却下の決定の結論】　
　　本件補正を却下する。　
　
【理由】　
2.1　本件補正の内容　
　本件補正により、特許請求の範囲の請求項１が以下のとおり補正された。
ａ．補正前　
「板状部材の上面にシート繰出ユニットから繰り出されたシートを押圧ローラで押圧して貼付するためのシート貼付用テーブルにおいて、
　前記板状部材を支持する内側テーブルと、当該内側テーブルを囲むように配置された外側テーブルとからなり、
　前記内側テーブル及び外側テーブルは、一方のテーブルが他方のテーブルの上面を基準位置として前記板状部材の厚みに応じてそれぞれ昇降可能に設けられていることを特徴とするシート貼付用テーブル。」　
ｂ．補正後　
「板状部材の上面にシート繰出ユニットから繰り出されたシートを押圧ローラで押圧して貼付するためのシート貼付用テーブルにおいて、
　前記板状部材を支持する内側テーブルと、当該内側テーブルを囲むように配置された外側テーブルとからなり、
　前記内側テーブル及び外側テーブルは、一方のテーブルが他方のテーブルの上面を基準位置として前記板状部材の厚みに応じてそれぞれ昇降可能に設けられ
、
　
前記内側テーブルは設定された位置を保持可能に設けられ
（なお、下線は補正箇所を明確化する目的で当審にて付したものである。）　
　
2.2　本件補正の適法性の検討　
　本件補正は、特許請求の範囲の請求項１に係る発明の発明特定事項である「内側テーブル」について、「設定された位置を保持可能に設けられている」との限定を加えるものであるから、特許請求の範囲の減縮を目的とするものに該当する。　
　本件補正は、特許法第１７条の２第３項第２号に規定する、特許請求の範囲を減縮することを目的とするものを含むから、本件補正後の請求項１に記載された発明（以下、「補正発明」という。）が特許出願の際独立して特許を受けることができるものであるか、すなわち平成１８年法律第５５号改正附則第３条第１項によりなお従前の例によるとされる同法による改正前の特許法(以下、単に「改正前の特許法」という。）第１７条の２第５項において準用する同法第１２６条第５項の規定に合致しているか、について以下に検討する。　
　
2.3　補正発明　
　補正発明は、上記2.1のｂ．に記載された事項により特定されるとおりのものである。　
　
2.3　刊行物記載の発明または事項　
　本願の優先権主張の日前に国内で頒布された、次の刊行物には、以下の事項が記載されていると認められる。　
　刊行物１：　特開２００４−　４７９７６号公報　
　刊行物２：　特開２００５−１３６３０５号公報　
　
2.3.1　刊行物１　
ａ．（発明の詳細な説明、段落１）　
「【０００１】
【発明の属する技術分野】
この発明は、半導体ウエハの表面に保護テープを精度よく貼り付ける技術に関する。」　
ｂ．（同、段落１０）　
「【００１０】
また、請求項２に記載の発明は、半導体ウエハの表面に保護テープを貼り付ける保護テープ貼付装置において、
前記半導体ウエハを載置保持する保持テーブルと、
表面が前記保持テーブルに載置保持した半導体ウエハの表面と略同じ高さになるように半導体ウエハの周りに配置した枠材と、
前記載置保持された半導体ウエハに向けて帯状の保護テープを供給するテープ供給手段と、
前記供給される保護テープの表面に貼付部材を接触させて前記枠材と半導体ウエハの表面に保護テープを貼り付ける貼付手段と、
前記枠材と半導体ウエハに貼り付けた保護テープを、半導体ウエハの周縁に沿って切断するカッターユニットと、
前記カッターユニットによって保護テープを切断した後の不要なテープを剥離する剥離手段と、
前記剥離した不要テープを回収するテープ回収手段と
を備えたことを特徴とするものである。」　
ｃ．(同、段落１９)　
「【００１９】
実施例に係る半導体ウエハ（以下、単に「ウエハ」という）の保護テープ貼付装置１は、図１に示す基台２の左右手前に、ウエハが収納されたカセットＣ１が装填されるウエハ供給部３（左側）と、表面に保護テープＴ１が貼り付けられたウエハＷを回収するウエハ回収部４（右側）とが配備されている。このウエハ供給部３とウエハ回収部４の間には、ロボットアーム６を備えたウエハ搬送機構５が配備されている。また、基台２の右側奥にはアライメントステージ７が配備され、その上方にはウエハＷに向けて保護テープＴ１を供給するテープ供給部８が配備されている。また、テープ供給部８の右斜め下にはテープ供給部８から供給されたセパレータ付きの保護テープＴ１からセパレータＳのみを回収するセパレータ回収部９が配備されている。アライメントステージ７の左横にはウエハＷを載置保持する保持部１０と、この保持部１０に保持されたウエハＷに保護テープＴ１を貼り付けるテープ貼付機構１１と、ウエハＷに保護テープＴ１を貼り付けた後の不要なテープＴ２を剥離するテープ剥離機構１２とが配備され、その上方にはウエハＷに貼り付けられた保護テープＴ１をウエハＷの外形に沿って切断するカッターユニット１３が配備されている。また、基台２の左側上方には、不要なテープＴ２を回収するテープ回収部１４が配備されている。さらに、保持部１０を挟んで、ウエハＷに貼り付ける前の保護テープＴ１と、保護テープＴ１をウエハＷに貼り付けた後の回収前の不要なテープＴ２から静電気を除去する静電気除去部１５がそれぞれに配備されている。」　
ｄ．(同、段落２５〜２９)　
「【００２５】
保持部１０は、図２および図３に示すように、ウエハＷの全面を覆うようにウエハＷと略同形状をしたチャックテーブル１７と、チャックテーブル１７をその中央部に収めて外周を取り囲むように貫通孔が設けられた枠材１８とから構成されている。
【００２６】
チャックテーブル１７は、移載されたウエハＷのオリエンテーションフラットなどを基準に位置合わせを行なうとともに、ウエハＷの裏面全体を覆って真空吸着するようになっている。また、チャックテーブル１７は、図３に示すように、駆動機構１９によりガイド２０に沿って昇降移動可能な構成をしている。なお、チャックテーブル１７は、本発明の保持テーブルに相当する。
【００２７】
枠材１８において、図２および図３に示すテープ貼付方向の長さＬは、この表面に保護テープＴ１を貼り付けたときにテープの延伸部分を吸収可能な長さに設定される。したがって、使用する保護テープなどによって適宜に変更することが好ましい。
【００２８】
駆動機構１９は、図３に示すように、チャックテーブル１７の下部中央に取り付けられボール軸２１と、モータ２２と、ボール軸２１とモータ２２の駆動軸２３のそれぞれの端部（図３では下部）に取り付けられた滑車２４と、これら両滑車に懸架されてモータ２２の駆動力をボール軸２１に伝達するベルト２５と、モータ２１の正逆駆動を制御する駆動制御部２６とから構成されている。なお、駆動制御部２６は、本発明の第２制御手段に相当する。
【００２９】
つまり、駆動制御部２６からの信号に基づいてモータ２２が正逆駆動し、この駆動力がボール軸２１に伝達されてチャックテーブル１７がガイド２０に沿って昇降移動する。このとき、チャックテーブル１７の高さは、チャックテーブル１７に吸着保持されたウエハＷの表面高さと枠材１８の表面高さとが略同じになるように駆動制御部２６によって調節されている。」　
ｅ．(同、段落５０)　
「【００３２】
テープ貼付機構１１は、そのフレームがテープ走行方向にスライド可能となるように装置本体のレールに把持され、図示しないモータなどの駆動部を介して連動連結されている。また、フレームには貼付部材としての貼付ローラ３０が回転可能に軸支されている。つまり、貼付ローラ３０が保護テープＴ１の表面を押圧して転動しながら枠材１８とウエハＷの表面に保護テープＴ１を貼り付けてゆくようになっている。なお、テープ貼付機構１１は、本発明の貼付手段に相当する。」　
ｆ．(同、段落)　
「【００５０】
＜第２実施例＞
本実施例装置では、保護テープＴ１を貼り付けるときの貼付ローラ３０の高さを調節するようにしたものである。つまり、上述の第１実施例装置のように枠材１８を設けることなく、かつチャックテーブル１７が昇降移動するものではない。以下、上述の第１実施例装置と構成の同一部分については同一符号を付すに留め、異なる部分について説明する。」　
　
　上記中、段落２９の記載から、チャックテーブル１７がモータ２２からボール軸２１を介して不可逆的に駆動されるため、チャックテーブル１７は保護テープＴ１が貼付ローラ３０で押圧されて貼付される間、設定された位置を保持可能であることは、当業者であれば容易に理解し得るものである。したがって、上記摘記事項を、技術常識をふまえつつ本件補正発明の記載に沿って整理すると、刊行物１には以下の発明が記載されていると認められる。　
「ウエハＷの上面にテープ供給部８から繰り出された保護テープＴ１を貼付ローラ３０で押圧して貼付するための保持部１０において、
　前記ウエハＷを支持するチャックテーブル１７と、当該チャックテーブル１７を囲むように配置された枠材１８とからなり、
　前記チャックテーブル１７及び枠材１８は、チャックテーブル１７が枠材１８の上面を基準位置として前記ウエハＷの厚みに応じて昇降可能に設けられ、　
　前記チャックテーブル１７は設定された位置を保持可能に設けられている保持部。」（以下、「刊行物１記載の発明」という。）　
　
2.3.2　刊行物２　
ａ．（明細書、段落１）　
「【０００１】
　本発明は貼合用テーブルに係り、更に詳しくは、半導体ウエハの回路面を保護する保護テープの貼付と、半導体ウエハをリングフレームにマウントする際のダイシングテープの貼付とを選択的に行うことのできる貼合装置用テーブルに関する。」　
ｂ．（同、段落１５）　
「【００１５】
　本発明によれば、ウエハの回路面を保護するための保護テープを貼付する際に、貼付圧力によって回路面位置が高さ方向に変位しない固定位置に保たれるので、保護テープをウエハの回路面に貼付するための貼付手段とウエハテーブルとの相対位置によって貼付圧力を予め設定しておくことで、当該貼付圧力を一定に保った状態で保護テープをウエハに貼付することができる。(以下省略）」　
ｃ．（同、段落１６）　
「【００１６】
　以下、本発明の好ましい実施の形態について図面を参照しながら説明する。
　図１には、本実施形態に係る貼合装置の概略正面図が示され、図２には、一部の構成部品を省略した概略側面図が示されている。また、図３には保護テープの帯状材とダイシングテープの帯状材の概略斜視図が示されている。これらの図において、貼合装置１０は、フレームＦの図１中右側に配置された支持ローラ１１と、この支持ローラ１１に選択的に支持されるロール状の帯状材Ａ１又はＡ２を繰り出す過程で保護テープＴ１又はダイシングテープＴ２を剥離して貼付する貼付手段１２と、ウエハＷを支持するウエハテーブル１３及びリングフレームＲを支持するリングフレームテーブル１４と、これらテーブル１３，１４を支持する支持手段１５と、当該支持手段１５を介してウエハテーブル１３及びリングフレームテーブル１４を貼付手段１２に対して横方向（図１中左右方向）に移動させるための駆動装置１６と、帯状材Ａ１，Ａ２を繰り出す繰出装置１７と、帯状材Ａ１，Ａ２の繰出時における蛇行を防止する蛇行防止手段１８と、帯状材Ａ１，Ａ２の一部を構成する剥離基材Ｂの巻取手段１９とを含んで構成されている。」　
ｄ．（同、段落２０〜２８）　
「【００２０】
　前記貼付手段１２は、帯状材Ａ１の繰出方向を急激に反転させて剥離基材Ｂから保護テープＴ１を剥離するピールプレート４１と、このピールプレート４１の前端側（図１中左端側）に併設されて剥離後の保護テープＴ１をウエハＷに貼付するプレスローラ４２とを含む。プレスローラ４２は、図２に示されるように、下向きコ字状の軸受部材４３を介して回転可能に支持されている。軸受部材４３の上部には板状の支持体４５が配置されているとともに、この支持体４５の中間部にシリンダ４６が配置され、当該シリンダ４６のピストンロッド４７の先端（下端）が軸受部材４３の上部中央に連結されている。また、支持体４５の上面側における長手方向両側にはガイド筒４９，４９が設けられているとともに、これらガイド筒４９を上下に貫通して延びる軸部材５０，５０の下端が軸受部材４３に連結され、シリンダ４６が作動することによって軸受部材４３及びプレスローラ４２が昇降可能となる。
【００２１】
　前記ウエハＷを支持するウエハテーブル１３は、ウエハＷの平面積より若干大きな平面積となる略円形の支持面部５２と、当該支持面部５２の下面側において、周方向略９０度間隔位置に配置された昇降軸５３とを備えて構成されている。ウエハテーブル１３は、図示しない多数の吸着孔を支持面部５２に備えており、その下面側に設けられた吸引管５４に図示しない減圧ポンプを接続して当該減圧ポンプの作動によりウエハＷを吸着保持でき、これによって保護テープＴ１をウエハＷの回路面に貼付する際の当該ウエハＷの位置ずれ防止が可能となる。
【００２２】
　前記リングフレームテーブル１４は、ウエハテーブル１３の外周側を囲み、且つ、ウエハテーブル１３の支持面部５２と干渉することのない大きさを備えた図示しない内側の穴を備えて外縁が平面視で略略方形をなす枠体５６と、当該枠体５６の図１中左右両側下面から下方に垂下する昇降板５７とを備えて構成されている。
【００２３】
　前記支持手段１５は、前記ウエハテーブル１３の昇降軸５３を上下方向にガイドするガイドプレート５９と、前記リングフレームテーブル１４の昇降板５７の下端側を相互に連結する連結プレート６０と、ガイドプレート５９及び連結プレート６０の間に配置された中間プレート６１と、この中間プレート６１と前記連結プレート６０の図１中左右両側間に設けられた間隔調整部材としての調整ボルト６３，６３と、後述する駆動装置１６によって横方向（図１中左右方向）に移動可能に設けられたスライドベース６４と、このスライドベース６４の上面に配置されたシリンダからなる昇降装置６７，６７と、前記連結プレート６０の下面側に固定された接離機構としてのシリンダ装置６９と、連結プレート６０と前記ガイドプレート５９との間に脱落不能に介装された付勢手段としてのコイルばね７０と、前記ウエハテーブル１３とガイドプレート５９との間に配置された微調整装置７２と、前記ウエハテーブル１３と前記リングフレームテーブル１４を上下方向に案内するガイド機構７３とを備えて構成されている。
【００２４】
　前記ガイドプレート５９はウエハテーブル１３の支持面部５２と平行に配置されているとともに昇降軸５３を上下方向にガイドする軸受７５を備えて構成されている。昇降軸５３の下端側は、前記連結プレート６０に設けられた下部軸受７６を貫通して昇降可能に延びる長さに設けられている。
【００２５】
　前記中間プレート６１は中央部に穴６１Ａを備えた形状とされ、当該穴６１Ａの領域内に、前記シリンダ装置６９のピストンロッド７８や、コイルばね７０及び下部軸受７６が配置できるようになっている。ここで、ピストンロッド７８は、その先端（上端）がガイドプレート５９に接触した状態で当該ガイドプレート５９の下方への移動を規制する固定状態に保つ一方、ピストンロッド７８の先端がガイドプレート５９から下方に離れて非接触とされたときにコイルばね７０がウエハテーブル１３の下方への移動を許容する状態でガイドプレート５９を支えるようになっている。また、連結プレート６０と中間プレート６１との間に設けられた調整ボルト６３を進退させることにより、これら各プレート６０，６１間の間隔が調整され、これにより、ウエハテーブル１３及びリングフレームテーブル１４の相対的な高さが調整可能となっている。
【００２６】
　前記スライドベース６４は、駆動装置１６のモータＭ５によって駆動される図示しないフィードスクリューを介して図１中左右方向に移動可能となっており、これにより、ウエハテーブル１３及びリングフレームテーブル１４が左右方向に移動することとなる。従って、各テーブル１３，１４の上面に載置されたウエハＷ及びリングフレームＲ上をプレスローラ４２が回転することで保護テープＴ１又はダイシングテープＴ２の貼付が可能となる。なお、テープ貼付時において、駆動装置１６によるスライドベース６４の移動速度は、後述するように、繰出装置１７による繰出速度よりも僅かに遅い速度に設定されている。
【００２７】
　前記昇降装置６７は、そのピストンロッド８０の先端が中間プレート６１の下面側に固定され、ピストンロッド８０の進退により中間プレート６１を上下に昇降させることで連結プレート６０及びこれに連結されている各テーブル１３，１４の昇降が可能となっている。
【００２８】
　前記微調整装置７２は、前記ガイドプレート５９の上面に配置されたスライドブロック８１と、ウエハテーブル１３の支持面部５２の下面側に支持された回転体としてのコロ８２と、当該コロ８２をスライドブロック８１の上面に形成された高さ調整面としての傾斜面８１Ａに当接させる付勢力を備えたばね部材をなす引っ張りばね８４と、前記スライドブロック８１を移動させて当該スライドブロック８１とコロ８２との接触点を上下に調整するための操作軸部材８５とを備えて構成されている。操作軸部材８５はスライドブロック８１を図１中左右方向に貫通して延びるねじ軸により構成され、当該操作軸部材８５の回転でスライドブロック８１が左右方向に移動して前記接触点の上下方向調整が可能となる。操作軸部材８５の操作端部（図１中左端部）には操作用摘み８７が設けられており、当該操作用摘み８７は、前記リングフレームテーブル１４の昇降板５７よりも外側に位置して装置外部から操作可能に設けられている。従って、操作用摘み８７を回転操作することで、ウエハテーブル１３とリングフレームテーブル１４との相対的な高さを微調整することができる。」　
ｅ．（同、段落３８）　
「【００３８】
　ウエハテーブル１３及びリングフレームテーブル１４は、昇降装置６７を作動させてウエハテーブル１３及びリングフレームテーブル１４を図１に示される位置より下降した位置でフレームＦの左端より左側に移動させておき、図示しない移載装置を介してウエハテーブル１３上にウエハＷが位置決め配置され、ウエハＷはウエハテーブル１３の支持面部５２に吸着固定される。次いで、ウエハテーブル１３が同図中右側に移動し、昇降装置６７を作動させてウエハテーブル１３が貼付高さ位置にセットされる。この際、ウエハＷの左端位置は、プレスローラ４２の中心位置を通る仮想鉛直線よりも右側に位置することとなる。また、前記シリンダ装置６９のピストンロッド７８の先端はガイドプレート５９の下面に接した状態とされ、当該ガイドプレート５９の下降を禁止する固定状態にしてウエハテーブル１３の支持面部５２が一定の平面高さ位置に保たれる。」　
ｆ．（同、段落４６，４７）　
「【００４６】
　また、接離機構を構成するシリンダ装置６９のピストンロッド７８がガイドテーブル５９の下面に接触することでウエハテーブル１３が確実に一定の高さ位置に保たれる一方、前記接触状態を解除したときに、コイルばね７０がガイドプレート５９を支える構成であるため、ダイシングテープＴ２をウエハＷに貼付する際の貼付圧力を程良い状態に保つことができ、ウエハＷの割れを防止しつつ確実なるテープ貼付が実現できる。
【００４７】
　更に、ガイドテーブル５９とウエハテーブル１３の支持面部５２との間に微調整装置７２を設けたから、当該微調整装置７２を構成するスライドブロック８１とコロ８２との接触点の高さ位置を調整することが可能となり、当該高さ位置の調整を通じて、ウエハＷの厚みとリングフレームＲの厚みに応じたそれらの相対的な高さ調整も可能となる。また、支持手段１５が昇降装置６７によって全体的に昇降する機構において、間隔調整部材を構成する調整ボルト６３のねじ込み位置の調整を行うことができるので、貼合対象となるウエハＷ及びリングフレームＲの厚みが違っても難なく対応することができ、ウエハテーブル１３及びリングフレームテーブル１４をテープ貼合高さ位置に正確に設定することができる。」　
　
　上記中、段落３８及び４６の記載から、保護テープＴ１を貼付する間、ウエハテーブル１３が設定された位置に保持されることは、当業者が容易に理解し得るものである。したがって、上記摘記事項を、技術常識をふまえつつ本件補正発明の記載に沿って整理すると、刊行物２には以下の発明が記載されていると認められる。　
「ウエハＷの上面に繰出装置１７から繰り出された保護テープＴ１をプレスローラ４２で押圧して貼付するための貼合用テーブルにおいて、
　前記ウエハＷを支持するウエハテーブル１３と、当該ウエハテーブル１３を囲むように配置されたリングフレームテーブル１４とからなり、
　前記ウエハテーブル１３及びリングフレームテーブル１４は、前記ウエハＷ及びリングフレームＲの厚みに応じてそれぞれ昇降可能に設けられ、　
　前記ウエハテーブル１３は設定された位置を保持可能に設けられている貼合用テーブル。」（以下、「刊行物２記載の発明」という。　
　
2.4　対比　
　補正発明と刊行物２記載の発明とを比較すると、後者の「ウエハＷ」、「繰出装置１７」、「保護テープＴ１」、「プレスローラ４２」、「ウエハテーブル１３」、「リングフレームテーブル１４」及び「貼合用テーブル」が、前者の「板状部材」、「シート繰出ユニット」、「シート」、「押圧ローラ」、「内側テーブル」、「外側テーブル」及び「シート貼付用テーブル」にそれぞれ相当することは明白である。　
　また、補正発明の内側テーブル及び外側テーブルと、刊行物２記載の発明のウエハテーブル１３及びリングフレームテーブル１４とは、板状部材またはウエハＷの厚みに応じて相対的に昇降するものである限りにおいて、共通する。
　そうしてみると、両者は一致点及び相違点は、次のとおりと認められる。　
＜一致点＞　
「板状部材の上面にシート繰出ユニットから繰り出されたシートを押圧ローラで押圧して貼付するためのシート貼付用テーブルにおいて、
　前記板状部材を支持する内側テーブルと、当該内側テーブルを囲むように配置された外側テーブルとからなり、
　前記内側テーブル及び外側テーブルは、前記板状部材の厚みに応じてそれぞれ昇降可能に設けられ、　
　前記内側テーブルは設定された位置を保持可能に設けられているシート貼付用テーブル。」である点。　
＜相違点＞　
　内側テーブル及び外側テーブルは、補正発明では一方のテーブルが他方のテーブルの上面を基準位置として板状部材の厚みに応じてそれぞれ昇降可能に設けられるのに対し、刊行物２記載の発明では板状部材及びリングフレームの厚みに応じてそれぞれ昇降可能に設けられる点。　
　
2.5　判断　
　上記相違点について検討する。
　刊行物１記載の発明の「ウエハＷ」、「テープ供給部８」、「保護テープＴ１」、「貼付ローラ３０」、「チャックテーブル１７」、「枠材１８」及び「保持部」が、補正発明の「板状部材」、「シート繰出ユニット」、「シート」、「押圧ローラ」、「内側テーブル」、「外側テーブル」及び「シート貼付用テーブル」にそれぞれ相当することは明白である。したがって、刊行物１には「シート貼付用テーブルにおいて、内側テーブル及びテーブルを、一方のテーブルが他方のテーブルの上面を基準位置として板状部材の厚みに応じて昇降可能に設けること。」(以下「刊行物１記載の事項」という。）が記載されているということができる。
　刊行物１記載の発明は刊行物２記載の発明と同様、シート貼付用テーブルに関するから、刊行物１記載の事項を刊行物２記載の発明に適用して＜相違点＞に係る発明特定事項を補正発明のものとすることは、当業者が容易に想到し得るものである。
　
2.6　まとめ
　補正発明によってもたらされる作用効果も、刊行物２記載の発明及び刊行物１記載の事項から当業者であれば普通に予測できる程度のものであって格別のものではないから、補正発明は、刊行物２記載の発明及び刊行物１記載の事項に基づいて当業者が容易に発明をすることができたものであって、特許法第２９条第２項の規定により特許出願の際独立して特許を受けることができないものである。
　
　以上のとおり、本件補正は、改正前特許法第１７条の２第５項において準用する同法第１２６条第５項の規定に違反するので、同法第１５９条第１項において読み替えて準用する同法第５３条第１項の規定により却下すべきものである。
　
　
３．本願発明について　
3.1　本願発明　
　平成２２年４月１５日付の明細書と特許請求の範囲を補正対象書類とする手続補正は上記のとおり却下されたので、本願の請求項１ないし４に係る発明は、同２１年１２月２５日付け手続補正書により補正された特許請求の範囲の請求項１ないし４に記載された事項により特定されるとおりのものと認められるところ、請求項１に係る発明（以下、「本願発明」という。）は、上記2.1のａに記載したとおりのものである。　
　
3.2　刊行物記載の発明（事項）　
　原査定の拒絶の理由に引用された刊行物とその記載事項は、前記「2.3」に記載された事項により特定されるとおりのものである。　
　
3.3　対比　
　本願発明と刊行物１記載の発明とを比較すると、後者の「ウエハＷ」、「テープ供給部８」、「保護テープＴ１」、「貼付ローラ３０」、「チャックテーブル１７」、「枠材１８」及び「保持部」が、前者の「板状部材」、「シート繰出ユニット」、「シート」、「押圧ローラ」、「内側テーブル」、「外側テーブル」及び「シート貼付用テーブル」にそれぞれ相当することは明白である。　
　また、本願発明の内側テーブル及び外側テーブルと、刊行物１記載の発明のチャックテーブル１７及びリングフレームテーブル１４とは、板状部材またはウエハＷの厚みに応じて相対的に昇降するものである限りにおいて、共通する。
　そうしてみると、両者は一致点及び相違点は、次のとおりと認められる。　
＜一致点＞　
「板状部材の上面にシート繰出ユニットから繰り出されたシートを押圧ローラで押圧して貼付するためのシート貼付用テーブルにおいて、
　前記板状部材を支持する内側テーブルと、当該内側テーブルを囲むように配置された外側テーブルとからなり、
　前記内側テーブル及び外側テーブルは、一方のテーブルが他方のテーブルの上面を基準位置として前記板状部材の厚みに応じて相対的に昇降可能に設けられているシート貼付用テーブル。」である点。　
＜相違点＞　
　内側テーブル及び外側テーブルは、本願発明では一方のテーブルが他方のテーブルの上面を基準位置として板状部材の厚みに応じてそれぞれ昇降可能に設けられるのに対し、刊行物１記載の発明では内側テーブルが外側テーブルの上面を基準位置として前記板状部材の厚みに応じて昇降可能に設けられる点。　
　
3.4　判断　
　上記＜相違点＞について検討する。　
　上記2.3及び2.4に示したとおり、刊行物２には、内側テーブル及び外側テーブルが板状部材及びリングフレームの厚みに応じてそれぞれ昇降可能に設けられるシート貼付用テーブルが記載されている。
　刊行物２記載の事項は、刊行物１記載の発明と同様、シート貼付用テーブルに関するから、刊行物２記載の事項を刊行物１記載の発明に組み合わせて、内側テーブルと外側テーブルとをそれぞれ昇降可能とすることは、当業者が容易に想到し得る。
　
　なお、請求人は審判請求書において、本願発明では外側テーブルが昇降可能であるため、シートの厚みの変化に応じて押圧ローラを上下に調整移動させる必要がなく、押圧ローラの上下移動に起因する発塵を防止することができる旨の主張をしているところ、刊行物２にはシート厚みの変化に応じて外側テーブルを昇降させることについて明記はない。しかしながら、本願発明では押圧ローラが上下に移動しないことは特定されていない上、刊行物２記載のシート貼付用テーブルでも連結プレート６０と中間プレート６１との間に設けられた調整ボルト６３を進退させて外側テーブルを上下方向に調整しており(段落２５参照。）、押圧ローラを上下移動させることなく、外側テーブルをシートの厚みの変化に応じて昇降させて対処することは可能である。
　
　本願発明の作用効果には、刊行物１記載の発明及び刊行物２記載の事項に基づいて当業者であれば普通に予測可能な範囲を超える格別のものを見出すこともできないため、本願発明は、刊行物１記載の発明及び刊行物２記載の事項に基づいて当業者が容易に発明をすることができたものである。
　
3.5　むすび　
　以上のとおり、本願の請求項１に係る発明は特許法第２９条第２項の規定により特許を受けることができないから、請求項２ないし４に係る発明について検討するまでもなく、本願は拒絶すべきものである。　
　よって、結論のとおり審決する。　
　　　　　　　　　　　　　　　　　.